(57)【要約】【課題】ダウンロードしたコンテンツを再生するコンテンツ再生装置において、セキュアな状態を保ちつつコンテンツ再生を行え、ユーザの使い勝手を向上させる。【解決手段】利用者識別情報に対応づけて暗号化された暗号化コンテンツデータを再生するコンテンツ再生装置であって、利用者識別情報、暗号化コンテンツデータ及び暗号化された復号鍵データを取得するデータ取得手段と、利用者識別情報に基づいて、前記復号鍵データを復号し、当該復号鍵データに基づいて前記暗号化コンテンツデータを復号する復号手段と、を備える。【選択図】図１
2012217002.tif 000002
【特許請求の範囲】
【請求項１】
利用者識別情報に対応づけて暗号化された暗号化コンテンツデータを再生するコンテンツ再生装置であって、
前記利用者識別情報、前記暗号化コンテンツデータ及び暗号化された復号鍵データを取得するデータ取得手段と、
前記利用者識別情報に基づいて、前記復号鍵データを復号し、当該復号鍵データに基づいて前記暗号化コンテンツデータを復号する復号手段と、
を備えたコンテンツ再生装置。
【請求項２】
前記暗号化コンテンツデータは、前記データ取得手段に対してストリーミング配信される、
請求項１記載のコンテンツ再生装置。
【請求項３】
バックアップした前記暗号化コンテンツデータを記憶する記憶手段を備え、
前記データ取得手段は、再生に先立って、前記利用者識別情報及び暗号化された復号鍵データを取得し、
前記復号手段は、前記記憶手段から読み出した前記暗号化コンテンツデータを前記利用者識別情報及び暗号化された復号鍵データに基づいて復号する、
請求項１記載のコンテンツ再生装置。
【請求項４】
前記暗号化コンテンツデータが記憶された外部のメモリカードを特定するメモリカードＩＤ及び前記利用者識別情報に対応づけて、前記メモリカードからバックアップした前記暗号化コンテンツデータを記憶する記憶手段を備え、
前記データ取得手段は、再生に先立って、前記メモリカードＩＤ及び暗号化された復号鍵データを取得し、
前記復号手段は、前記メモリカードＩＤに対応づけられた前記記憶手段から読み出した前記暗号化コンテンツデータを前記利用者識別情報及び暗号化された復号鍵データに基づいて復号する、
請求項１記載のコンテンツ再生装置。
【請求項５】
前記暗号化コンテンツデータが記憶された外部のメモリカードを特定するメモリカードＩＤに対応づけて、前記メモリカードからバックアップした前記暗号化コンテンツデータを記憶する記憶手段を備え、
前記データ取得手段は、前記メモリカードＩＤに対応づけられた前記暗号化コンテンツデータが前記記憶手段に記憶されている場合に、再生に先立って、前記利用者識別情報及び暗号化された復号鍵データを取得し、
前記復号手段は、前記利用者識別情報に基づいて暗号化された復号鍵データを復号し、復号した復号鍵により、前記暗号化コンテンツデータを復号する、
請求項１記載のコンテンツ再生装置。
【請求項６】
前記暗号化コンテンツデータが記憶された外部のメモリカードを特定するメモリカードＩＤと、前記利用者識別情報と、を対応づけて記憶する記憶手段と、
前記メモリカードが挿入されて、当該メモリカードを特定するメモリカードＩＤ及び前記暗号化コンテンツデータを読み出し可能な記憶データ読出手段と、を備え、
前記データ取得手段は、再生に先立って、暗号化された復号鍵データを取得し、
前記復号手段は、前記メモリカードＩＤに対応する利用者識別情報を前記記憶手段から読み出し、読み出した前記利用者識別情報に基づいて暗号化された復号鍵データを復号し、復号した復号鍵により、前記暗号化コンテンツデータを復号する、
請求項１記載のコンテンツ再生装置。
【請求項７】
前記復号手段は、前記データ取得手段から取得された利用者識別情報が、前記記憶手段に記憶されている前記暗号化コンテンツデータに対応づけられている利用者識別情報と所定の関係を有する場合に、前記暗号化コンテンツデータに対応づけられている利用者識別情報に基づいて暗号化された復号鍵データを復号し、復号した復号鍵により前記暗号化コンテンツデータを復号する、
請求項１乃至請求項６のいずれかに記載のコンテンツ再生装置。
【請求項８】
利用者識別情報に対応づけて暗号化された暗号化コンテンツデータを再生するコンテンツ再生装置をコンピュータにより制御するための制御プログラムであって、
前記コンピュータを、
前記利用者識別情報、前記暗号化コンテンツデータ及び暗号化された復号鍵データを取得するデータ取得手段と、
前記利用者識別情報に基づいて、前記復号鍵データを復号し、当該復号鍵データに基づいて前記暗号化コンテンツデータを復号する復号手段と、
して機能させる制御プログラム。
【発明の詳細な説明】
【技術分野】
【０００１】
本発明の実施形態は、コンテンツ再生装置及び制御プログラムに関する。
【背景技術】
【０００２】
従来、携帯電話端末装置でダウンロードし、暗号化して当該携帯電話端末装置に記憶したコンテンツ（動画、音声など）をパーソナルコンピュータ等の外部機器にバックアップし、外部機器と携帯電話端末装置を物理的に接続した状態でバックアップしたコンテンツを再生するコンテンツ再生システムが提案されている（例えば、特許文献１参照）。
【先行技術文献】
【特許文献】
【０００３】
【特許文献１】特開２００２−１７５０８４号公報
【発明の概要】
【発明が解決しようとする課題】
【０００４】
しかしながら、従来技術においては、復号鍵の生成を携帯電話端末装置側で行っているため、セキュアな状態を保ちつつ、暗号化したコンテンツを再生するには、必ず、ダウンロードを行った携帯電話端末装置が必要となり、セキュアな状態を保ちつつ、ユーザの使い勝手が向上するように、コンテンツ再生システムの柔軟な運用を行うのは、困難であった。
そこで、本発明の目的は、ダウンロードしたコンテンツを再生するコンテンツ再生システムにおいて、セキュアな状態を保ちつつコンテンツ再生を行えるとともに、ユーザの使い勝手を向上させることが可能なコンテンツ再生装置及び制御プログラムを提供することにある。
【課題を解決するための手段】
【０００５】
本発明は、上記に鑑みてなされたものであって、実施形態のコンテンツ再生装置は、利用者識別情報に対応づけて暗号化された暗号化コンテンツデータを再生するコンテンツ再生装置である。
ここで、データ取得手段は、利用者識別情報、暗号化コンテンツデータ及び暗号化された復号鍵データを取得する。
そして、復号手段は、利用者識別情報に基づいて、復号鍵データを復号し、当該復号鍵データに基づいて前記暗号化コンテンツデータを復号する。
【図面の簡単な説明】
【０００６】
【図１】図１は、実施形態のコンテンツ再生システムの概要構成ブロック図である。
【図２】図２は、携帯電話端末装置およびコンテンツ再生装置の概要構成ブロック図である。
【図３】図３は、第１実施形態のシーケンスフローチャートである。
【図４】図４は、第２実施形態のシーケンスフローチャートである。
【図５】図５は、第３実施形態のシーケンスフローチャートである。
【図６】図６は、第４実施形態のシーケンスフローチャートである。
【図７】図７は、再生可否判別処理の処理フローチャートである。
【図８】図８は、第５実施形態のシーケンスフローチャートである。
【図９】図９は、第６実施形態のシーケンスフローチャートである。
【図１０】図１０は、第７実施形態のシーケンスフローチャートである。
【発明を実施するための形態】
【０００７】
次に実施形態について図面を参照して説明する。
図１は、実施形態のコンテンツ再生システムの概要構成ブロック図である。
コンテンツ再生システム１０は、各種コンテンツをダウンロード可能に格納するコンテンツサーバ１１と、通信ネットワークとしてのインターネット１２と、携帯電話回線網１４をインターネット１２に接続するゲートウェイサーバ１３と、携帯電話回線網１４に接続され、携帯電話端末装置１７のグループ管理等を行う管理サーバ１５と、携帯電話端末装置１７との間で無線通信を行う複数の（無線）基地局１６と、携帯電話端末装置に内蔵された図示しない近距離無線通信部 と非接触近距離無線通信を行う近距離無線通信ユニット １８と、携帯電話端末装置１７が内蔵可能で暗号化されたコンテンツデータ（以下、暗号化コンテンツデータという。）を記憶するメモリカード２０と、近距離無線通信ユニット１８を介して入力された暗号化コンテンツデータあるいはメモリカード２０に格納されている暗号化コンテンツデータを復号して、画像再生あるいは音声再生を行う外部機器としてのコンテンツ再生装置１９と、を備えている。
【０００８】
近距離無線通信ユニット１８としては、通信距離数センチ〜１０センチ程度の近距離無線通信を行って携帯電話端末装置１７との間でデータのやりとりを行うことが可能な装置が用いられる。
【０００９】
コンテンツ再生装置１９としては、ディジタルテレビ、ディジタルレコーダ、パーソナルコンピュータ等が挙げられる。
メモリカード２０としては、ＳＤ（Secure Digital）メモリカード（登録商標）等のフラッシュメモリカードが用いられる。
【００１０】
図２は、携帯電話端末装置およびコンテンツ再生装置の概要構成ブロック図である。
携帯電話端末装置１７は、携帯電話端末装置１７全体を制御する制御部３１と、基地局１６との間で無線通信を行うための通信部３２と、複数のキーボタンを有するキーパネルあるいはタッチパネルとして構成され、各種操作あるいはデータ入力を行う入力部３３と、液晶ディスプレイパネル等を備え、再生したコンテンツや、各種データを表示する表示部３４と、図示しないＲＡＭ、フラッシュメモリ、等を備えた記憶部３５と、図示しない音声出力部を有し、メモリカード２０に記憶した暗号化コンテンツデータを再生するコンテンツ再生部３６と、メモリカード２０に適切に保護した状態で暗号化コンテンツを記憶させるコンテンツ保護部３７と、コンテンツ再生装置１９が近距離無線通信部を備えている場合に、コンテンツ再生装置１９との間で近距離無線通信を行う近距離無線通信部３８と、当該携帯電話端末装置１７のユーザを特定するための後述のＳＩＭＩＤを記憶するＳＩＭ（Subscriber Identity Module）カード４１及びメモリカード２０との間のインタフェース動作を行う外部インタフェース（ＩＦ）部３９と、を備えている。
【００１１】
ＳＩＭ４１は、携帯電話端末装置１７の外部インタフェース部３９との間でデータ通信を行う外部インタフェース（ＩＦ）部４２と、ＳＩＭの発行元などの通信事業者において、利用者を識別するための利用者識別情報としてのＳＩＭＩＤを記憶する４３と、を備えている。利用者識別情報としては、携帯電話端末装置の場合、具体的には、携帯電話番号がＳＩＭＩＤとして用いられる。なお、携帯電話端末装置以外の通信機器を用いる場合でも、同様に利用者を識別するためにユニークに割り当てられているデータであれば同様に適用が可能である。
メモリカード２０は、携帯電話端末装置１７の外部インタフェース部３９との間でデータ通信を行う外部インタフェース（ＩＦ）部５１と、当該メモリカード２０に固有（ユニーク）に割り当てられたメモリカードＩＤ５３、復号鍵５４及び暗号化コンテンツデータ５５を記憶した記憶部５２と、を備えている。ここで、復号鍵５４は、暗号化された状態で記憶部５２に記憶されている。
【００１２】
外部機器としてのコンテンツ再生装置１９は、コンテンツ再生装置１９全体を制御する制御部６１と、他の機器との間で通信を行うための通信部６２と、複数のキーボタンを有し、各種操作あるいはデータ入力を行う入力部６３と、携帯電話端末装置１７の近距離無線通信部３８との間で近距離無線通信を行う近距離無線通信部６４と、近距離無線通信ユニット１８、メモリカード２０、図示しないＵＳＢインタフェース等の高速シリアルインタフェース等を含む外部の機器が接続可能とされた外部インタフェース（ＩＦ）部６５と、を備えている。
【００１３】
さらにコンテンツ再生装置１９は、大画面の液晶ディスプレイパネルや、大画面のプラズマディスプレイパネル等を備え、再生したコンテンツや、各種データを表示する表示部６６と、図示しない音声出力部を有し、携帯電話端末装置１７から近距離無線通信部６４、近距離無線通信ユニット１８等を介してストリーミング配信された暗号化コンテンツデータや、後述する記憶部６９にバックアップした暗号化コンテンツデータ、外部インタフェース（ＩＦ）部６５を介して接続されたメモリカード２０に格納された暗号化コンテンツデータ等を再生するコンテンツ再生部６７と、後述する記憶部６９に適切に保護した状態で暗号化コンテンツを記憶させるコンテンツ保護部６８と、図示しないＲＡＭ、フラッシュメモリ、ハードディスクドライブ、ＳＳＤ（Solid State Drive）等を備えた記憶部６９と、を備えている。
【００１４】
［第１実施形態］
次に上記構成を有するコンテンツ再生システムにおける第１実施形態の動作を説明する。
本第１実施形態は、携帯電話端末装置１７からストリーミング配信された暗号化コンテンツデータを外部機器であるコンテンツ再生装置１９において、再生し、大画面の表示部６６に表示する場合の実施形態である。
【００１５】
以下の説明においては、暗号化コンテンツデータは、携帯電話端末装置１７から近距離無線通信ユニット１８を介してストリーミング配信される場合について説明する。
図３は、第１実施形態のシーケンスフローチャートである。
まず、携帯電話端末装置１７は、インターネット１２、ゲートウェイサーバ１３、携帯電話通信網及び基地局１６を介してコンテンツサーバ１１からＳＩＭ４１の記憶部４３に記憶されているＳＩＭＩＤに対応づけて暗号化された暗号化コンテンツ（いわゆるＳＩＭバインドされた暗号化コンテンツ）をダウンロードする（ステップＳ１１）。
【００１６】
これにより携帯電話端末装置１７の制御部３１は、通信部３２を介してダウンロードした暗号化コンテンツデータを、外部インタフェース（ＩＦ）部３９を介してメモリカードの記憶部５２に記憶する（ステップＳ１２）。
その後、暗号化コンテンツデータ５５によるコンテンツの再生を行うべく、携帯電話端末装置１７が近距離無線通信ユニット１８に近づけられると（ステップＳ１３）、コンテンツ再生装置１９の制御部６１は、近距離無線通信部６４を介して、ＳＩＭＩＤ４４及び暗号化された復号鍵５４を取得し（ステップＳ１４）、暗号化された復号鍵５４から復号鍵をＳＩＭＩＤ４４により復号する（ステップＳ１５）。
【００１７】
続いて、携帯電話端末装置１７から近距離無線通信部６４を介して暗号化コンテンツデータ５５がストリーミング配信されると（ステップＳ）、復号鍵に基づいてストリーム配信された暗号化コンテンツデータ５５の復号化を行い、コンテンツ再生部６７がコンテンツを表示部６６で画像再生（表示）するとともに、音声再生する（ステップＳ１８）。
次に制御部６１は、暗号化コンテンツデータ５５の再生の終了あるいはユーザによる入力部６３からの再生終了指示がなされたか否かを判別する（ステップＳ１９）。
【００１８】
ステップＳ１９の判別において、暗号化コンテンツデータ５５の再生が未だ終了せず、あるいは、ユーザによる入力部６３からの再生終了指示がなされていない場合には（ステップＳ１９；Ｎｏ）、再生を継続するために、処理を再びステップＳ１７に移行する。 なお、コンテンツ再生時において複数の復号鍵が必要な場合には、再生を継続するために、処理を再びステップＳ１４に移行して、再生に必要とされる新たな復号鍵を取得するように構成することも可能である。ここで、移行したステップＳ１４においては、ＳＩＭＩＤは、同一であるので、復号鍵のみを取得するように構成すれば良い。
ステップＳ１９の判別において、暗号化コンテンツデータ５５の再生の終了あるいはユーザによる入力部６３からの再生終了指示がなされた場合には（ステップＳ１９；Ｙｅｓ）、処理を終了する。
【００１９】
以上の説明のように、携帯電話端末装置１７にいわゆるＳＩＭバインドされてダウンロードされた暗号化コンテンツデータ５５であっても、当該暗号化コンテンツデータ５５をダウンロードした携帯電話端末装置１７以外の外部装置（本第１実施形態では、コンテンツ再生装置１９）で復号鍵５４及び暗号化コンテンツデータ５５の復号処理を行いつつ、セキュアな状態を保ってコンテンツを保護しつつ、再生を行わせることが可能となる。
【００２０】
[第２実施形態]
以上の第１実施形態は、暗号化コンテンツデータ５５を携帯電話端末装置１７がコンテンツ再生装置１９にストリーミング配信する場合の実施形態であったが、本第２実施形態は、外部機器であるコンテンツ再生装置１９が暗号化コンテンツデータを、メモリカード２０を特定するためのメモリカードＩＤ５３及びＳＩＭＩＤ４４に対応づけて記憶（バックアップ）し、当該バックアップした暗号化コンテンツデータをセキュアな状態を保ったままで、再生を行えるようにした場合の実施形態である。
【００２１】
以下の説明においては、メモリカード２０に記憶された暗号化コンテンツデータ５５は、携帯電話端末装置１７から近距離無線通信部６４を介して直接的に、または外部ＩＦ部に接続された近距離無線通信ユニット１８を介して、若しくは、外部ＩＦ部３９及び外部ＩＦ部６５を接続してコンテンツ再生装置１９の記憶部６９に複製されて記憶（バックアップ）され、コンテンツ再生装置１９は、記憶部６９に記憶（バックアップ）された暗号化コンテンツデータ５５に基づいて再生を行う場合について説明する。
【００２２】
図４は、第２実施形態のシーケンスフローチャートである。
まず、携帯電話端末装置１７は、インターネット１２、ゲートウェイサーバ１３、携帯電話通信網及び基地局１６を介してコンテンツサーバ１１からＳＩＭ４１の記憶部４３に記憶されているＳＩＭＩＤに対応づけて暗号化された暗号化コンテンツ（いわゆるＳＩＭバインドされた暗号化コンテンツ）をダウンロードする（ステップＳ２１）。 なお、暗号化コンテンツをダウンロードするのではなく、携帯電話端末装置１７がダウンロードしたコンテンツをＳＩＭＩＤに対応づけて暗号化（ＳＩＭバインドした暗号化）を行うように構成することも可能である。
これにより携帯電話端末装置１７の制御部３１は、通信部３２を介してダウンロードした暗号化コンテンツデータを、外部インタフェース（ＩＦ）部３９を介してメモリカードの記憶部５２に記憶する（ステップＳ２２）。
【００２３】
そして、外部機器としてのコンテンツ再生装置１９の制御部６１は、メモリカード２０の記憶部５２に記憶されているメモリカードＩＤ及びＳＩＭ４１の記憶部４３に記憶されているＳＩＭＩＤ４４の双方に対応づけて暗号化コンテンツデータ５５を記憶部６９に転送させて、記憶する（ステップＳ２３）。
【００２４】
ここで、暗号化コンテンツデータ５５をメモリカードＩＤ及びＳＩＭＩＤ４４の双方に対応づけるとは、暗号化コンテンツデータ５５に基づいてコンテンツの再生を行おうとする場合には、正規のメモリカードＩＤ及びＳＩＭＩＤ４４が入力された場合にのみ再生が行えるような状態でという意味である。この場合の暗号化コンテンツデータ５５のバックアップの経路としては、コンテンツ再生装置１９の近距離無線通信部６４を介した通信、外部インタフェース（ＩＦ）部６５を介した高速シリアルインタフェースによる通信経路などが考えられる。
【００２５】
その後、暗号化コンテンツデータ５５によるコンテンツの再生を行うべく、携帯電話端末装置１７が近距離無線通信部６４に近づけられると（ステップＳ２４）、コンテンツ再生装置１９の制御部６１は、近距離無線通信部６４を介して、携帯電話端末装置１７からメモリカードＩＤ５３及び暗号化された復号鍵５４を取得し（ステップＳ２５）、ステップＳ２３でバックアップした暗号化コンテンツデータ５５のうち、メモリカードＩＤに対応づけられたＳＩＭＩＤ４４に基づいて、暗号化された復号鍵５４から復号鍵を復号する（ステップＳ２６）。
続いて、制御部６１は、記憶部６９からバックアップしておいた暗号化コンテンツデータ５５を読み出し、復号鍵に基づいてストリーム配信された暗号化コンテンツデータ５５の復号化を行い（ステップＳ２７）、コンテンツ再生部６７がコンテンツを表示部６６で画像再生（表示）するとともに、音声再生する（ステップＳ２８）。
【００２６】
次に制御部６１は、暗号化コンテンツデータ５５の再生の終了あるいはユーザによる入力部６３からの再生終了指示がなされたか否かを判別する（ステップＳ２９）。
ステップＳ２９の判別において、暗号化コンテンツデータ５５の再生が未だ終了せず、あるいは、ユーザによる入力部６３からの再生終了指示がなされていない場合には（ステップＳ２９；Ｎｏ）、再生を継続するために、処理を再びステップＳ２７ に移行する。この場合においても、コンテンツ再生時において複数の復号鍵が必要な場合には、再生を継続するために、処理を再びステップＳ２５に移行して、再生に必要とされる新たな復号鍵を取得するように構成することも可能である。ここで、移行したステップＳ２５においては、メモリカードＩＤは、同一であるので、復号鍵のみを取得するように構成すれば良い。
ステップＳ２９の判別において、暗号化コンテンツデータ５５の再生の終了あるいはユーザによる入力部６３からの再生終了指示がなされた場合には（ステップＳ２９；Ｙｅｓ）、処理を終了する。
【００２７】
以上の説明のように、携帯電話端末装置１７にいわゆるＳＩＭバインドされてダウンロードされた暗号化コンテンツデータ５５であっても、当該暗号化コンテンツデータ５５をダウンロードした携帯電話端末装置１７以外の外部装置（本第１実施形態では、コンテンツ再生装置１９）において、記憶（バックアップ）しておき、外部装置で復号鍵５４及び暗号化コンテンツデータ５５の復号処理を行いつつ、セキュアな状態を保ってコンテンツを保護しつつ、再生を行わせることが可能となる。
【００２８】
[第３実施形態]
以上の第２実施形態は、外部機器であるコンテンツ再生装置１９が暗号化コンテンツデータを、メモリカード２０を特定するためのメモリカードＩＤ５３及びＳＩＭＩＤ４４に対応づけて記憶（バックアップ）し、当該バックアップした暗号化コンテンツデータをセキュアな状態を保ったままで、再生を行えるようにしていたが、本第３実施形態は、外部機器であるコンテンツ再生装置１９が暗号化コンテンツデータを、メモリカード２０を特定するためのメモリカードＩＤ５３に対応づけて記憶（バックアップ）し、当該バックアップした暗号化コンテンツデータをセキュアな状態を保ったままで、再生を行えるようにした場合の実施形態である。
【００２９】
以下の説明においては、メモリカード２０に記憶された暗号化コンテンツデータ５５は、携帯電話端末装置１７から近距離無線通信部６４を介して直接的に、または外部ＩＦ部に接続された近距離無線通信ユニット１８を介して、若しくは、外部ＩＦ部３９及び外部ＩＦ部６５を接続してコンテンツ再生装置１９の記憶部６９に複製されて記憶（バックアップ）され、コンテンツ再生装置１９は、記憶部６９に記憶（バックアップ）された暗号化コンテンツデータ５５に基づいて再生を行う場合について説明する。
【００３０】
図５は、第３実施形態のシーケンスフローチャートである。
まず、携帯電話端末装置１７は、インターネット１２、ゲートウェイサーバ１３、携帯電話通信網及び基地局１６を介してコンテンツサーバ１１からＳＩＭ４１の記憶部４３に記憶されているＳＩＭＩＤに対応づけて暗号化された暗号化コンテンツ（いわゆるＳＩＭバインドされた暗号化コンテンツ）をダウンロードする（ステップＳ３１）。なお、この場合においても、暗号化コンテンツをダウンロードするのではなく、携帯電話端末装置１７がダウンロードしたコンテンツをＳＩＭＩＤに対応づけて暗号化（ＳＩＭバインドした暗号化）を行うように構成することも可能である。
これにより携帯電話端末装置１７の制御部３１は、通信部３２を介してダウンロードした暗号化コンテンツデータを、外部インタフェース（ＩＦ）部３９を介してメモリカードの記憶部５２に記憶する（ステップＳ３２）。
【００３１】
そして、外部機器としてのコンテンツ再生装置１９の制御部６１は、メモリカード２０の記憶部５２に記憶されているメモリカードＩＤに対応づけて暗号化コンテンツデータ５５を記憶部６９に転送させて、記憶する（ステップＳ３３）。
ここで、暗号化コンテンツデータ５５をメモリカードＩＤに対応づけるとは、暗号化コンテンツデータ５５の復号は、対応したメモリーカードにある暗号化された復号鍵データでしか復号できず、それ以外のメモリーカードにある復号鍵データで無駄に復号しようとする処理をしないように配慮したためである。この場合においても、暗号化コンテンツデータ５５のバックアップの経路としては、コンテンツ再生装置１９の近距離無線通信部６４を介した通信、外部インタフェース（ＩＦ）部６５を介した高速シリアルインタフェースによる通信経路などが考えられる。
【００３２】
その後、暗号化コンテンツデータ５５によるコンテンツの再生を行うべく、携帯電話端末装置１７が近距離無線通信ユニット１８に近づけられると（ステップＳ３４）、コンテンツ再生装置１９の制御部６１は、近距離無線通信ユニット１８及び外部インタフェース（ＩＦ）部６５を介して、メモリカードＩＤ５３を取得する（ステップＳ３５）。
次に制御部６１は、取得したメモリカードＩＤ５３が、記憶部６９に登録されているメモリカードＩＤ５３であるか否かを判別する（ステップＳ３６）。ここで、記憶部６９に登録されているメモリカードＩＤ５３であるとは、記憶部６９にバックアップされている暗号化コンテンツデータ５５に対応づけられているメモリーカードであるという意味である。
【００３３】
ステップＳ３６の判別において、取得したメモリカードＩＤ５３が、記憶部６９に登録されているメモリカードＩＤ５３ではない場合には（ステップＳ３６；Ｎｏ）、復号可能な復号鍵が存在しないので、処理を終了する。
ステップＳ３６の判別において、取得したメモリカードＩＤ５３が、記憶部６９に登録されているメモリカードＩＤ５３である場合には（ステップＳ３６；Ｙｅｓ）、制御部６１は、携帯電話端末装置１７から近距離無線通信ユニット１８及び外部インタフェース（ＩＦ）部６５を介してＳＩＭＩＤ４４及び暗号化された復号鍵５４を取得する（ステップＳ３７）。なお、近距離無線通信ユニット１８及び外部インタフェース（ＩＦ）部６５を介して取得するのに代えて、近距離無線通信部６４を介して直接的に、あるいは、外部ＩＦ部３９及び外部ＩＦ部６５を接続して取得するように構成することも可能である。
【００３４】
続いて、制御部６１は、取得したＳＩＭＩＤ４４に基づいて、取得した暗号化された復号鍵５４から復号鍵を復号する（ステップＳ３８）。
続いて、制御部６１は、記憶部６９からバックアップしておいた暗号化コンテンツデータ５５を読み出し、復号鍵に基づいてストリーム配信された暗号化コンテンツデータ５５の復号化を行い（ステップＳ３９）、コンテンツ再生部６７がコンテンツを表示部６６で画像再生（表示）するとともに、音声再生する（ステップＳ４０）。
次に制御部６１は、暗号化コンテンツデータ５５の再生の終了あるいはユーザによる入力部６３からの再生終了指示がなされたか否かを判別する（ステップＳ４１）。
【００３５】
ステップＳ４１の判別において、暗号化コンテンツデータ５５の再生が未だ終了せず、あるいは、ユーザによる入力部６３からの再生終了指示がなされていない場合には（ステップＳ４１；Ｎｏ）、再生を継続するために、処理を再びステップＳ３９ に移行する。この場合においても、コンテンツ再生時において複数の復号鍵が必要な場合には、再生を継続するために、処理を再びステップＳ３７に移行して、再生に必要とされる新たな復号鍵を取得するように構成することも可能である。ここで、移行したステップＳ３７においては、ＳＩＭＩＤ４４は、同一であるので、復号鍵のみを取得するように構成すれば良い。
ステップＳ４１の判別において、暗号化コンテンツデータ５５の再生の終了あるいはユーザによる入力部６３からの再生終了指示がなされた場合には（ステップＳ４１；Ｙｅｓ）、処理を終了する。
【００３６】
以上の説明のように、携帯電話端末装置１７にいわゆるＳＩＭバインドされてダウンロードされた暗号化コンテンツデータ５５であっても、当該暗号化コンテンツデータ５５をダウンロードした携帯電話端末装置１７以外の外部装置（本第１実施形態では、コンテンツ再生装置１９）において、記憶（バックアップ）しておき、外部装置で復号鍵５４及び暗号化コンテンツデータ５５の復号処理を行いつつ、セキュアな状態を保ってコンテンツを保護しつつ、再生を行わせることが可能となる。
【００３７】
[第４実施形態]
以上の各実施形態は、得られるＳＩＭＩＤ４４がコンテンツデータを暗号化してダウンロードした場合のＳＩＭＩＤと同一であることを前提としていたが、得られるＳＩＭＩＤ４４がコンテンツデータを暗号化してダウンロードした場合のＳＩＭＩＤと異なる場合の取り扱いも考慮した場合の実施形態である。
この場合において、ＳＩＭＩＤが異なってもコンテンツの再生を許可する場合とは、例えば、同一のユーザによる複数契約のそれぞれに対応するＳＩＭＩＤが存在する場合や、契約者は異なっていても、家族契約等を行っており当該ユーザが属するグループ（例えば、家族）の所有するＳＩＭに対応するＳＩＭＩＤが存在する場合等にも再生許可を与えるような場合である。
【００３８】
以下の説明においては、メモリカード２０に記憶された暗号化コンテンツデータ５５は、携帯電話端末装置１７から近距離無線通信部６４を介して直接的に、または外部ＩＦ部に接続された近距離無線通信ユニット１８を介して、若しくは、外部ＩＦ部３９及び外部ＩＦ部６５を接続してコンテンツ再生装置１９の記憶部６９に複製されて記憶（バックアップ）され、コンテンツ再生装置１９は、記憶部６９に記憶（バックアップ）された暗号化コンテンツデータ５５に基づいて再生を行う場合について説明する。
【００３９】
図６は、第４実施形態のシーケンスフローチャートである。
まず、携帯電話端末装置１７は、インターネット１２、ゲートウェイサーバ１３、携帯電話通信網及び基地局１６を介してコンテンツサーバ１１からＳＩＭ４１の記憶部４３に記憶されているＳＩＭＩＤに対応づけて暗号化された暗号化コンテンツ（いわゆるＳＩＭバインドされた暗号化コンテンツ）をダウンロードする（ステップＳ５１）。 なお、この場合においても、暗号化コンテンツをダウンロードするのではなく、携帯電話端末装置１７がダウンロードしたコンテンツをＳＩＭＩＤに対応づけて暗号化（ＳＩＭバインドした暗号化）を行うように構成することも可能である。
これにより携帯電話端末装置１７の制御部３１は、通信部３２を介してダウンロードした暗号化コンテンツデータを、外部インタフェース（ＩＦ）部３９を介してメモリカードの記憶部５２に記憶する（ステップＳ５２）。
【００４０】
そして、外部機器としてのコンテンツ再生装置１９の制御部６１は、メモリカード２０の記憶部５２に記憶されているメモリカードＩＤ及びＳＩＭ４１の記憶部４３に記憶されているＳＩＭＩＤ４４の双方に対応づけて暗号化コンテンツデータ５５を記憶部６９に転送させて、記憶する（ステップＳ５３）。
この場合においても、暗号化コンテンツデータ５５をメモリカードＩＤ及びＳＩＭＩＤ４４の双方に対応づけるとは、暗号化コンテンツデータ５５に基づいてコンテンツの再生を行おうとする場合には、正規のメモリカードＩＤ及びＳＩＭＩＤ４４が入力された場合にのみ再生が行えるような状態でという意味である。この場合の暗号化コンテンツデータ５５のバックアップの経路としては、コンテンツ再生装置１９の近距離無線通信部６４を介した通信、外部インタフェース（ＩＦ）部６５を介した高速シリアルインタフェースによる通信経路などが考えられる。
【００４１】
ステップＳ５３の処理と並行して、携帯電話端末装置１７は、外部機器であるコンテンツ再生装置１９から当該コンテンツ再生装置１９を特定するための外部機器ＩＤを取得し、ＳＩＭ４１の記憶部４３に記憶する（ステップＳ５４）。この場合において、登録された外部機器ＩＤの数（登録外部機器台数）が予め設定された登録可能台数を超える場合には、当該新たに登録しようとした外部機器におけるバックアップは禁止される。
【００４２】
その後、暗号化コンテンツデータ５５によるコンテンツの再生を行うべく、携帯電話端末装置１７が近距離無線通信部６４に近づけられると（ステップＳ５５）、コンテンツ再生装置１９の制御部６１は、近距離無線通信部３８及び近距離無線通信部６４を介して、メモリカードＩＤ５３を取得する（ステップＳ５６）。
次に制御部６１は、取得したメモリカードＩＤ５３が、記憶部６９に登録されているメモリカードＩＤ５３であるか否かを判別する（ステップＳ５７）。ここにおいても、記憶部６９に登録されているメモリカードＩＤ５３であるとは、バックアップされている暗号化コンテンツデータ５５と対応づけられた復号鍵があるメモリーカードであるという意味である。
【００４３】
ステップＳ５７の判別において、取得したメモリカードＩＤ５３が、記憶部６９に登録されているメモリカードＩＤ５３ではない場合には（ステップＳ５７；Ｎｏ）、復号可能な復号鍵が存在しないので、処理を終了する。
ステップＳ５７の判別において、取得したメモリカードＩＤ５３が、記憶部６９に登録されているメモリカードＩＤ５３である場合には（ステップＳ５７；Ｙｅｓ）、制御部６１は、再生可否判別処理（ステップＳ５８）を行う。
【００４４】
図７は、再生可否判別処理の処理フローチャートである。
再生可否判別処理において、制御部６１は、まず、メモリカードＩＤが暗号化コンテンツデータ５５に対応づけて登録されているものと一致し、かつ、ＳＩＭＩＤ４４が暗号化コンテンツデータ５５に対応づけて登録されているものと不一致しているか否かを判別する（ステップＳ７１）。
ステップＳ７１の判別において、メモリカードＩＤが暗号化コンテンツデータ５５に対応づけて登録されているものと一致し、かつ、ＳＩＭＩＤ４４が暗号化コンテンツデータ５５に対応づけて登録されているものと一致している場合には（ステップＳ７１；Ｎｏ）、制御部６１は、暗号化コンテンツデータ５５を取得した際と、メモリカードＩＤ及びＳＩＭＩＤ４４が一致しているので、再生許可に設定する（ステップＳ７４）。
【００４５】
ステップＳ７１の判別において、メモリカードＩＤが暗号化コンテンツデータ５５に対応づけて登録されているものと一致し、かつ、ＳＩＭＩＤ４４が暗号化コンテンツデータ５５に対応づけて登録されているものと不一致した場合には（ステップＳ７１；Ｙｅｓ）、当該暗号化コンテンツデータ５５の再生許可パターンがいずれであるかを判別する（ステップＳ７２）。
【００４６】
ここで、本実施形態における再生許可設定パターンについて説明する。
本実施形態において、再生許可設定パターンは、３パターンが設定されている。
第１パターンＰ１は、ＳＩＭＩＤ４４が暗号化コンテンツデータ５５に対応づけて登録されているものと不一致した場合には、再生を許可しないというものである。
第２パターンＰ２は、メモリカード２０から暗号化された復号鍵５４を取得し、復号可能であれば、再生を許可するというものである。
第３パターンＰ３は、不一致しているＳＩＭＩＤ４４が、当該ユーザが属するグループ（例えば、家族）の所有するＳＩＭに対応するＳＩＭＩＤであるか否かを管理サーバ１５に問い合わせ、登録されているＳＩＭＩＤと同一グループである場合には、再生を許可するというものである。
【００４７】
したがって、ステップＳ７２の判別において、再生許可設定パターンが、第１パターンＰ１である場合には（ステップＳ７２；パターンＰ１）、制御部６１は、再生不許可とし（ステップＳ７３）、処理を終了する。
また、ステップＳ７２の判別において、再生許可設定パターンが、第２パターンＰ２である場合には（ステップＳ７２；パターンＰ２）、制御部６１は、再生許可とし、処理をステップＳ５９に移行する。
【００４８】
さらにステップＳ７２の判別において、再生許可設定パターンが、第３パターンＰ３である場合には（ステップＳ７２；パターンＰ３）、制御部６１は、管理サーバ１５へ問い合わせを行い（ステップＳ７５）、不一致しているＳＩＭＩＤ４４が、当該ユーザが属するグループ（の所有するＳＩＭに対応するＳＩＭＩＤであるか否かを判別する（ステップＳ７６）。
ステップＳ７６の判別において、当該ユーザが属するグループ（の所有するＳＩＭに対応するＳＩＭＩＤではない場合には（ステップＳ７６；Ｎｏ）、制御部６１は、再生不許可とし（ステップＳ７３）、処理を終了する。
ステップＳ７６の判別において、当該ユーザが属するグループ（の所有するＳＩＭに対応するＳＩＭＩＤである場合には（ステップＳ７６；Ｙｅｓ）、制御部６１は、再生許可とし、処理をステップＳ５９に移行する。
【００４９】
次に制御部６１は、携帯電話端末装置１７から近距離無線通信ユニット１８及び外部インタフェース（ＩＦ）部６５を介してＳＩＭＩＤ４４及び暗号化された復号鍵５４を取得する（ステップＳ５９）。
続いて、制御部６１は、取得したＳＩＭＩＤ４４に基づいて、取得した暗号化された復号鍵５４から復号鍵を復号する（ステップＳ６０）。
続いて、制御部６１は、記憶部６９からバックアップしておいた暗号化コンテンツデータ５５を読み出し、復号鍵に基づいて暗号化コンテンツデータ５５の復号化を行い（ステップＳ６１）、コンテンツ再生部６７がコンテンツを表示部６６で画像再生（表示）するとともに、音声再生する（ステップＳ６２）。
【００５０】
次に制御部６１は、暗号化コンテンツデータ５５の再生の終了あるいはユーザによる入力部６３からの再生終了指示がなされたか否かを判別する（ステップＳ６３）。
ステップＳ６３の判別において、暗号化コンテンツデータ５５の再生が未だ終了せず、あるいは、ユーザによる入力部６３からの再生終了指示がなされていない場合には（ステップＳ６３；Ｎｏ）、再生を継続するために、処理を再びステップＳ６１ に移行する。この場合においても、コンテンツ再生時において複数の復号鍵が必要な場合には、再生を継続するために、ステップＳ６１への処理の移行に代えて、処理を再びステップＳ５９に移行して、再生に必要とされる新たな復号鍵を取得するように構成することも可能である。ここで、移行したステップＳ５９においては、ＳＩＭＩＤ４４は、同一であるので、復号鍵のみを取得するように構成すれば良い。
ステップＳ６３の判別において、暗号化コンテンツデータ５５の再生の終了あるいはユーザによる入力部６３からの再生終了指示がなされた場合には（ステップＳ６３；Ｙｅｓ）、処理を終了する。
【００５１】
以上の説明のように、本第４実施形態においても、携帯電話端末装置１７にいわゆるＳＩＭバインドされてダウンロードされた暗号化コンテンツデータ５５であっても、当該暗号化コンテンツデータ５５をダウンロードした携帯電話端末装置１７以外の外部装置（本第１実施形態では、コンテンツ再生装置１９）において、記憶（バックアップ）しておき、外部装置で復号鍵５４及び暗号化コンテンツデータ５５の復号処理を行いつつ、セキュアな状態を保ってコンテンツを保護しつつ、再生を行わせることが可能となる。
【００５２】
さらに、本第４実施形態によれば、再生可能な外部機器の台数を携帯電話端末装置１７により管理しつつ、メモリカードＩＤが暗号化コンテンツデータ５５に対応づけて登録されているものと一致し、かつ、ＳＩＭＩＤ４４が暗号化コンテンツデータ５５に対応づけて登録されているものと不一致した場合であっても、所定の条件下で再生を行わせることができ、ユーザの利便性を向上させることができる。
【００５３】
［第５実施形態］
以上の第４実施形態においては、携帯電話端末装置１７において、外部機器であるコンテンツ再生装置１９から取得した外部機器ＩＤをＳＩＭ４１に記憶する構成を採っていたが、本第５実施形態は、外部機器であるコンテンツ再生装置１９から取得した外部機器ＩＤをコンテンツサーバ１１において管理するようにした実施形態である。
【００５４】
図８は、第５実施形態のシーケンスフローチャートである。
まず、携帯電話端末装置１７は、インターネット１２、ゲートウェイサーバ１３、携帯電話通信網及び基地局１６を介してコンテンツサーバ１１からＳＩＭ４１の記憶部４３に記憶されているＳＩＭＩＤに対応づけて暗号化された暗号化コンテンツ（いわゆるＳＩＭバインドされた暗号化コンテンツ）をダウンロードする（ステップＳ８１）。
これにより携帯電話端末装置１７の制御部３１は、通信部３２を介してダウンロードした暗号化コンテンツデータを、外部インタフェース（ＩＦ）部３９を介してメモリカードの記憶部５２に記憶する（ステップＳ８２）。
【００５５】
そして、外部機器としてのコンテンツ再生装置１９の制御部６１は、上述した場合と同様にメモリカード２０の記憶部５２に記憶されているメモリカードＩＤ及びＳＩＭ４１の記憶部４３に記憶されているＳＩＭＩＤ４４の双方に対応づけて暗号化コンテンツデータ５５を記憶部６９に転送させて、記憶する（ステップＳ８３）。
ステップＳ５３の処理と並行して、携帯電話端末装置１７は、外部機器であるコンテンツ再生装置１９から当該コンテンツ再生装置１９を特定するための外部機器ＩＤを取得し、基地局１６、携帯電話回線網１４、ゲートウェイサーバ１３及びインターネットを介してコンテンツサーバ１１に接続し、コンテンツサーバ１１に管理させるように登録する（ステップＳ８４）。この場合において、登録された外部機器ＩＤの数（登録外部機器台数）が予め設定された登録可能台数を超える場合には、当該新たに登録しようとした外部機器における再生は禁止される。
【００５６】
その後、暗号化コンテンツデータ５５によるコンテンツの再生を行うべく、携帯電話端末装置１７が近距離無線通信部６４に近づけられると（ステップＳ８５）、コンテンツ再生装置１９の制御部６１は、近距離無線通信部３８及び近距離無線通信部６４を介して、メモリカードＩＤ５３を取得する（ステップＳ８６）。
次に制御部６１は、取得したメモリカードＩＤ５３が、記憶部６９に登録されているメモリカードＩＤ５３であるか否かを判別し（ステップＳ８７）、取得したメモリカードＩＤ５３が、記憶部６９に登録されているメモリカードＩＤ５３ではない場合には（ステップＳ８７；Ｎｏ）、復号可能な鍵がないので、処理を終了する。
【００５７】
ステップＳ８７の判別において、取得したメモリカードＩＤ５３が、記憶部６９に登録されているメモリカードＩＤ５３である場合には（ステップＳ８７；Ｙｅｓ）、制御部６１は、図７に示した場合と同様の再生可否判別処理（ステップＳ８８）を行う。
そして、制御部６１は、再生可否判別処理（ステップＳ８８）において、再生可と判別した場合には、携帯電話端末装置１７から近距離無線通信部６４または外部ＩＦ部３９を介してＳＩＭＩＤ４４及び暗号化された復号鍵５４を取得する（ステップＳ８９）。
【００５８】
続いて、制御部６１は、取得したＳＩＭＩＤ４４に基づいて、取得した暗号化された復号鍵５４から復号鍵を復号する（ステップＳ９０）。
続いて、制御部６１は、記憶部６９からバックアップしておいた暗号化コンテンツデータ５５を読み出し、復号鍵に基づいて暗号化コンテンツデータ５５の復号化を行い（ステップＳ９１）、コンテンツ再生部６７がコンテンツを表示部６６で画像再生（表示）するとともに、音声再生する（ステップＳ９２）。
【００５９】
次に制御部６１は、暗号化コンテンツデータ５５の再生の終了あるいはユーザによる入力部６３からの再生終了指示がなされたか否かを判別し（ステップＳ９３）、暗号化コンテンツデータ５５の再生が未だ終了せず、あるいは、ユーザによる入力部６３からの再生終了指示がなされていない場合には（ステップＳ９３；Ｎｏ）、再生を継続するために、処理を再びステップＳ９１ に移行する。なお、この場合においても、コンテンツ再生時において複数の復号鍵が必要な場合には、再生を継続するために、ステップＳ９１の処理への移行に代えて、処理を再びステップＳ８９に移行して、再生に必要とされる新たな復号鍵を取得するように構成することも可能である。ここで、移行したステップＳ８９においては、ＳＩＭＩＤ４４は、同一であるので、復号鍵のみを取得するように構成すれば良い。
ステップＳ９３の判別において、暗号化コンテンツデータ５５の再生の終了あるいはユーザによる入力部６３からの再生終了指示がなされた場合には（ステップＳ９３；Ｙｅｓ）、処理を終了する。
【００６０】
以上の説明のように、本第５実施形態においても、携帯電話端末装置１７にいわゆるＳＩＭバインドされてダウンロードされた暗号化コンテンツデータ５５であっても、当該暗号化コンテンツデータ５５をダウンロードした携帯電話端末装置１７以外の外部装置（本第１実施形態では、コンテンツ再生装置１９）において、記憶（バックアップ）しておき、外部装置で復号鍵５４及び暗号化コンテンツデータ５５の復号処理を行いつつ、セキュアな状態を保ってコンテンツを保護しつつ、再生を行わせることが可能となる。
【００６１】
さらに、本第５実施形態によれば、再生可能な外部機器の台数をコンテンツサーバ１１により管理しつつ、メモリカードＩＤが暗号化コンテンツデータ５５に対応づけて登録されているものと一致し、かつ、ＳＩＭＩＤ４４が暗号化コンテンツデータ５５に対応づけて登録されているものと不一致した場合であっても、所定の条件下で再生を行わせることができ、ユーザの利便性を向上させることができる。
【００６２】
［第６実施形態］
以上の各実施形態では、携帯電話端末装置１７において、コンテンツサーバ１１からダウンロードした暗号化コンテンツデータ５５は、メモリカード２０に記憶されていたが、このメモリカード２０を直接、外部機器であるコンテンツ再生装置１９に挿入した場合でも再生は行えなかったが、本第６実施形態は、メモリカード２０を直接、外部機器であるコンテンツ再生装置１９に挿入した場合にコンテンツの再生を行えるようにする実施形態である。
【００６３】
図９は、第６実施形態のシーケンスフローチャートである。
まず、携帯電話端末装置１７は、インターネット１２、ゲートウェイサーバ１３、携帯電話通信網及び基地局１６を介してコンテンツサーバ１１からＳＩＭ４１の記憶部４３に記憶されているＳＩＭＩＤに対応づけて暗号化された暗号化コンテンツ（いわゆるＳＩＭバインドされた暗号化コンテンツ）をダウンロードする（ステップＳ１０１）。 なお、この場合においても、暗号化コンテンツをダウンロードするのではなく、携帯電話端末装置１７がダウンロードしたコンテンツをＳＩＭＩＤに対応づけて暗号化（ＳＩＭバインドした暗号化）を行うように構成することも可能である。
これにより携帯電話端末装置１７の制御部３１は、通信部３２を介してダウンロードした暗号化コンテンツデータを、外部インタフェース（ＩＦ）部３９を介してメモリカードの記憶部５２に記憶する（ステップＳ１０２）。
【００６４】
そして、携帯電話端末装置１７が近距離無線通信ユニット１８に近づけられると（ステップＳ１０３）、外部機器としてのコンテンツ再生装置１９の制御部６１は、メモリカード２０の記憶部５２に記憶されているメモリカードＩＤ及びＳＩＭ４１の記憶部４３に記憶されているＳＩＭＩＤ４４を記憶部６９に転送させて、記憶する（ステップＳ１０４）。
ステップＳ１０４の処理と並行して、携帯電話端末装置１７は、外部機器であるコンテンツ再生装置１９から当該コンテンツ再生装置１９を特定するための外部機器ＩＤを取得し、ＳＩＭ４１の記憶部４３に記憶する（ステップＳ１０５）。この場合において、登録された外部機器ＩＤの数（登録外部機器台数）が予め設定された登録可能台数を超える場合には、当該新たに登録しようとした外部機器へのメモリーカードＩＤおよびＳＩＭＩＤ４４の転送は禁止される。
【００６５】
その後、暗号化コンテンツデータ５５によるコンテンツの再生を行うべく、携帯電話端末装置１７からメモリカード２０を取り出し、外部インタフェース（ＩＦ）部６５として機能するメモリカードリーダに挿入すると、コンテンツ再生装置１９の制御部６１は、外部インタフェース（ＩＦ）部６５を介して、挿入されたメモリカード２０からメモリカードＩＤ５３を取得する（ステップＳ１０６）。
次に制御部６１は、取得したメモリカードＩＤ５３が、記憶部６９に登録されているメモリカードＩＤ５３であるか否かを判別し（ステップＳ１０７）、取得したメモリカードＩＤ５３が、記憶部６９に登録されているメモリカードＩＤ５３ではない場合には（ステップＳ１０７；Ｎｏ）、復号可能な鍵が存在しないので、処理を終了する。
【００６６】
ステップＳ１０７の判別において、取得したメモリカードＩＤ５３が、記憶部６９に登録されているメモリカードＩＤ５３である場合には（ステップＳ１０７；Ｙｅｓ）、制御部６１は、図７に示した場合と同様の再生可否判別処理（ステップＳ１０８）を行う。
そして、制御部６１は、再生可否判別処理（ステップＳ１０８）において、再生可と判別した場合には、メモリカード２０の記憶部５２から暗号化された復号鍵５４を取得する（ステップＳ１０９）。
【００６７】
続いて、制御部６１は、取得したＳＩＭＩＤ４４に基づいて、取得した暗号化された復号鍵５４から復号鍵を復号する（ステップＳ１１０）。
続いて、制御部６１は、メモリカード２０から暗号化コンテンツデータ５５を読み出し、復号鍵に基づいて暗号化コンテンツデータ５５の復号化を行い（ステップＳ１１１）、コンテンツ再生部６７がコンテンツを表示部６６で画像再生（表示）するとともに、音声再生する（ステップＳ１１２）。
【００６８】
次に制御部６１は、暗号化コンテンツデータ５５の再生の終了あるいはユーザによる入力部６３からの再生終了指示がなされたか否かを判別し（ステップＳ１１３）、暗号化コンテンツデータ５５の再生が未だ終了せず、あるいは、ユーザによる入力部６３からの再生終了指示がなされていない場合には（ステップＳ１１３；Ｎｏ）、再生を継続するために、処理を再びステップＳ１１１ に移行する。この場合においても、コンテンツ再生時において複数の復号鍵が必要な場合には、再生を継続するために、ステップＳ１１１への処理の移行に代えて、処理を再びステップＳ１０９に移行して、再生に必要とされる新たな復号鍵を取得するように構成することも可能である。
ステップＳ１１３の判別において、暗号化コンテンツデータ５５の再生の終了あるいはユーザによる入力部６３からの再生終了指示がなされた場合には（ステップＳ１１３；Ｙｅｓ）、処理を終了する。
【００６９】
以上の説明のように、本第６実施形態においても、携帯電話端末装置１７にいわゆるＳＩＭバインドされてダウンロードされ、メモリカードに記憶された暗号化コンテンツデータ５５であっても、当該暗号化コンテンツデータ５５をダウンロードした携帯電話端末装置１７以外の外部装置（本第６実施形態では、コンテンツ再生装置１９）において、メモリカードを挿入するだけで、復号鍵５４及び暗号化コンテンツデータ５５の復号処理を行いつつ、セキュアな状態を保ってコンテンツを保護しつつ、再生を行わせることが可能となる。
【００７０】
さらに、本第６実施形態によれば、再生可能な外部機器の台数を携帯電話端末装置１７により管理しつつ、メモリカードＩＤが暗号化コンテンツデータ５５に対応づけて登録されているものと一致し、かつ、ＳＩＭＩＤ４４が暗号化コンテンツデータ５５に対応づけて登録されているものと不一致した場合であっても、所定の条件下で再生を行わせることができ、ユーザの利便性を向上させることができる。
【００７１】
［第７実施形態］
上記第６実施形態は、メモリカード２０を直接、外部機器であるコンテンツ再生装置１９に挿入した場合にコンテンツの再生を行うに際し、携帯電話端末装置１７において、外部機器であるコンテンツ再生装置１９から取得した外部機器ＩＤをＳＩＭ４１に記憶する構成を採っていたが、本第７実施形態は、外部機器であるコンテンツ再生装置１９から取得した外部機器ＩＤをコンテンツサーバ１１において管理するようにした実施形態である。
【００７２】
図１０は、第７実施形態のシーケンスフローチャートである。
まず、携帯電話端末装置１７は、インターネット１２、ゲートウェイサーバ１３、携帯電話通信網及び基地局１６を介してコンテンツサーバ１１からＳＩＭ４１の記憶部４３に記憶されているＳＩＭＩＤに対応づけて暗号化された暗号化コンテンツ（いわゆるＳＩＭバインドされた暗号化コンテンツ）をダウンロードする（ステップＳ１２１）。
これにより携帯電話端末装置１７の制御部３１は、通信部３２を介してダウンロードした暗号化コンテンツデータを、外部インタフェース（ＩＦ）部３９を介してメモリカードの記憶部５２に記憶する（ステップＳ１２２）。
【００７３】
そして、携帯電話端末装置１７が近距離無線通信部６４に近づけられると（ステップＳ１２３）、コンテンツ再生装置１９の制御部６１は、近距離無線通信部３８及び近距離無線通信部６４を介して、メモリカード２０の記憶部５２に記憶されているメモリカードＩＤ及びＳＩＭ４１の記憶部４３に記憶されているＳＩＭＩＤ４４を記憶部６９に転送させて、記憶する（ステップＳ１２４）。
ステップＳ１２４の処理と並行して、携帯電話端末装置１７は、外部機器であるコンテンツ再生装置１９から当該コンテンツ再生装置１９を特定するための外部機器ＩＤを取得し（ステップＳ１２５）、基地局１６、携帯電話回線網１４、ゲートウェイサーバ１３及びインターネットを介してコンテンツサーバ１１に接続し、コンテンツサーバ１１に当該携帯電話端末装置１７と対応づけて管理させるように登録する（ステップＳ１２６）。この場合において、登録された外部機器ＩＤの数（登録外部機器台数）が予め設定された登録可能台数を超える場合には、当該新たに登録しようとした外部機器における再生は禁止される。
【００７４】
その後、暗号化コンテンツデータ５５によるコンテンツの再生を行うべく、携帯電話端末装置１７からメモリカード２０を取り出し、外部インタフェース（ＩＦ）部６５として機能するメモリカードリーダに挿入すると、コンテンツ再生装置１９の制御部６１は、外部インタフェース（ＩＦ）部６５を介して、挿入されたメモリカード２０からメモリカードＩＤ５３を取得する（ステップＳ１２７）。
次に制御部６１は、取得したメモリカードＩＤ５３が、記憶部６９に登録されているメモリカードＩＤ５３であるか否かを判別し（ステップＳ１２８）、取得したメモリカードＩＤ５３が、記憶部６９に登録されているメモリカードＩＤ５３ではない場合には（ステップＳ１２８；Ｎｏ）、再生可能なコンテンツはないので、処理を終了する。
【００７５】
ステップＳ１２８の判別において、取得したメモリカードＩＤ５３が、記憶部６９に登録されているメモリカードＩＤ５３である場合には（ステップＳ１２８；Ｙｅｓ）、制御部６１は、図７に示した場合と同様の再生可否判別処理（ステップＳ１２９）を行う。
そして、制御部６１は、再生可否判別処理（ステップＳ１２９）において、再生可と判別した場合には、メモリカード２０の記憶部５２から暗号化された復号鍵５４を取得する（ステップＳ１３０）。
【００７６】
続いて、制御部６１は、取得したＳＩＭＩＤ４４に基づいて、取得した暗号化された復号鍵５４から復号鍵を復号する（ステップＳ１３１）。
続いて、制御部６１は、メモリカード２０から暗号化コンテンツデータ５５を読み出し、復号鍵に基づいて暗号化コンテンツデータ５５の復号化を行い（ステップＳ１３２）、コンテンツ再生部６７がコンテンツを表示部６６で画像再生（表示）するとともに、音声再生する（ステップＳ１３３）。
【００７７】
次に制御部６１は、暗号化コンテンツデータ５５の再生の終了あるいはユーザによる入力部６３からの再生終了指示がなされたか否かを判別し（ステップＳ１３４）、暗号化コンテンツデータ５５の再生が未だ終了せず、あるいは、ユーザによる入力部６３からの再生終了指示がなされていない場合には（ステップＳ１３４；Ｎｏ）、再生を継続するために、処理を再びステップＳ１１１に移行する。
ステップＳ１３４の判別において、暗号化コンテンツデータ５５の再生の終了あるいはユーザによる入力部６３からの再生終了指示がなされた場合には（ステップＳ１３４；Ｙｅｓ）、処理を終了する。
【００７８】
以上の説明のように、本第７実施形態においても、携帯電話端末装置１７にいわゆるＳＩＭバインドされてダウンロードされ、メモリカードに記憶された暗号化コンテンツデータ５５であっても、当該暗号化コンテンツデータ５５をダウンロードした携帯電話端末装置１７以外の外部装置（本第７実施形態では、コンテンツ再生装置１９）において、メモリカード２０を挿入するだけで、復号鍵５４及び暗号化コンテンツデータ５５の復号処理を行いつつ、セキュアな状態を保ってコンテンツを保護しつつ、再生を行わせることが可能となる。
【００７９】
さらに、本第７実施形態によれば、再生可能な外部機器の台数をコンテンツサーバ１１により管理しつつ、メモリカードＩＤが暗号化コンテンツデータ５５に対応づけて登録されているものと一致し、かつ、ＳＩＭＩＤ４４が暗号化コンテンツデータ５５に対応づけて登録されているものと不一致した場合であっても、所定の条件下で再生を行わせることができ、ユーザの利便性を向上させることができる。
【００８０】
［実施形態の変形例］
以上の説明においては、携帯型情報端末装置として、携帯電話端末装置の場合について説明したが、コンテンツサーバとの間で、暗号化コンテンツデータをダウンロード可能なＳＩＭ（あるいはＵＩＭ）等を内蔵可能で、セキュアな通信機能を有する情報処理装置であれば同様に適用が可能である。例えば、いわゆるスマートフォンや、ノートブック型パーソナルコンピュータ等でも同様に適用が可能である。
【００８１】
上記説明においては、コンテンツ再生装置を具体的に記載しなかったが、ディジタルテレビジョン装置、ディジタルレコーダ、パーソナルコンピュータ等に適用が可能である。
本実施形態のコンテンツ再生装置で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００８２】
また、本実施形態のコンテンツ再生装置で実行される制御プログラムを、インターネット１２等のネットワークに接続されたコンピュータ上に格納し、ネットワーク経由でダウンロードさせることにより提供するように構成しても良い。また、本実施形態のコンテンツ再生装置で実行される制御プログラムをインターネット等のネットワーク経由で提供または配布するように構成しても良い。
また、本実施形態のコンテンツ再生装置の制御プログラムを、各装置のＲＯＭ等に予め組み込んで提供するように構成してもよい。
【００８３】
なお、本発明は、上記実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせても良い。
【符号の説明】
【００８４】
１０    コンテンツ再生システム
１１    コンテンツサーバ
１２    インターネット
１３    ゲートウェイサーバ
１４    携帯電話回線網
１５    管理サーバ
１６    基地局
１７    携帯電話端末装置
１８    近距離無線通信ユニット（データ取得手段）
１９    コンテンツ再生装置
２０    メモリカード
４１    ＳＩＭカード
４２    外部インタフェース部
４３    記憶部
４４    ＳＩＭＩＤ（利用者識別情報）
５１    外部インタフェース部
５２    記憶部
５３    メモリカードＩＤ
５４    暗号化された復号鍵
５５    号化コンテンツデータ
５５    暗号化コンテンツデータ
６１    制御部（復号手段）
６２    通信部
６３    入力部
６４    近距離無線通信部（データ取得手段）
６５    外部インタフェース部（データ取得手段）
６６    表示部
６７    コンテンツ再生部（復号手段）
６８    コンテンツ保護部
６９    記憶部（記憶手段）
【図１】
2012217002.tif 000003
【図２】
2012217002.tif 000004
【図３】
2012217002.tif 000005
【図４】
2012217002.tif 000006
【図５】
2012217002.tif 000007
【図６】
2012217002.tif 000008
【図７】
2012217002.tif 000009
【図８】
2012217002.tif 000010
【図９】
2012217002.tif 000011
【図１０】
2012217002.tif 000012
【手続補正書】
【提出日】平成24年3月27日(2012.3.27)
【手続補正１】
【補正対象書類名】特許請求の範囲
【補正対象項目名】全文
【補正方法】変更
【補正の内容】
【特許請求の範囲】
【請求項１】
利用者識別情報に対応づけて暗号化された暗号化コンテンツデータを再生するコンテンツ再生装置であって、
前記利用者識別情報、前記暗号化コンテンツデータ及び暗号化された復号鍵データを取得するデータ取得手段と、
前記利用者識別情報に基づいて、前記復号鍵データを復号し、当該復号鍵データに基づいて前記暗号化コンテンツデータを復号する復号手段と、
を備えたコンテンツ再生装置。 
【請求項２】
前記暗号化コンテンツデータは、前記データ取得手段に対してストリーミング配信される、
請求項１記載のコンテンツ再生装置。 
【請求項３】
バックアップした前記暗号化コンテンツデータを記憶する記憶手段を備え、
前記データ取得手段は、再生に先立って、前記利用者識別情報及び暗号化された復号鍵データを取得し、
前記復号手段は、前記記憶手段から読み出した前記暗号化コンテンツデータを前記利用者識別情報及び暗号化された復号鍵データに基づいて復号する、
請求項１記載のコンテンツ再生装置。 
【請求項４】
前記暗号化コンテンツデータが記憶された外部のメモリカードを特定するメモリカードＩＤ及び前記利用者識別情報に対応づけて、前記メモリカードからバックアップした前記暗号化コンテンツデータを記憶する記憶手段を備え、
前記データ取得手段は、再生に先立って、前記メモリカードＩＤ及び暗号化された復号鍵データを取得し、
前記復号手段は、前記メモリカードＩＤに対応づけられた前記記憶手段から読み出した前記暗号化コンテンツデータを前記利用者識別情報及び暗号化された復号鍵データに基づいて復号する、
請求項１記載のコンテンツ再生装置。 
【請求項５】
前記暗号化コンテンツデータが記憶された外部のメモリカードを特定するメモリカードＩＤに対応づけて、前記メモリカードからバックアップした前記暗号化コンテンツデータを記憶する記憶手段を備え、
前記データ取得手段は、前記メモリカードＩＤに対応づけられた前記暗号化コンテンツデータが前記記憶手段に記憶されている場合に、再生に先立って、前記利用者識別情報及び暗号化された復号鍵データを取得し、
前記復号手段は、前記利用者識別情報に基づいて暗号化された復号鍵データを復号し、復号した復号鍵データにより、前記暗号化コンテンツデータを復号する、
請求項１記載のコンテンツ再生装置。 
【請求項６】
前記暗号化コンテンツデータが記憶された外部のメモリカードを特定するメモリカードＩＤと、前記利用者識別情報と、を対応づけて記憶する記憶手段と、
前記メモリカードが挿入されて、当該メモリカードを特定するメモリカードＩＤ及び前記暗号化コンテンツデータを読み出し可能な記憶データ読出手段と、を備え、
前記データ取得手段は、再生に先立って、暗号化された復号鍵データを取得し、
前記復号手段は、前記メモリカードＩＤに対応する利用者識別情報を前記記憶手段から読み出し、読み出した前記利用者識別情報に基づいて暗号化された復号鍵データを復号し、復号した復号鍵データにより、前記暗号化コンテンツデータを復号する、
請求項１記載のコンテンツ再生装置。 
【請求項７】
バックアップした前記暗号化コンテンツデータを記憶する記憶手段を備え、
前記復号手段は、前記データ取得手段から取得された利用者識別情報が、前記記憶手段に記憶されている前記暗号化コンテンツデータに対応づけられている利用者識別情報と所定の関係を有する場合に、前記暗号化コンテンツデータに対応づけられている利用者識別情報に基づいて暗号化された復号鍵データを復号し、復号した復号鍵により前記暗号化コンテンツデータを復号する、
請求項１記載のコンテンツ再生装置。 
【請求項８】
利用者識別情報に対応づけて暗号化された暗号化コンテンツデータを再生するコンテンツ再生装置をコンピュータにより制御するための制御プログラムであって、
前記コンピュータを、
前記利用者識別情報、前記暗号化コンテンツデータ及び暗号化された復号鍵データを取得するデータ取得手段と、
前記利用者識別情報に基づいて、前記復号鍵データを復号し、当該復号鍵データに基づいて前記暗号化コンテンツデータを復号する復号手段と、
して機能させる制御プログラム。
【手続補正書】
【提出日】平成24年6月14日(2012.6.14)
【手続補正１】
【補正対象書類名】特許請求の範囲
【補正対象項目名】全文
【補正方法】変更
【補正の内容】
【特許請求の範囲】
【請求項１】
携帯情報端末装置の利用者識別情報に対応づけて暗号化された暗号化コンテンツデータを、前記携帯情報端末装置から取得し再生するコンテンツ再生装置であって、
前記携帯情報端末装置から前記利用者識別情報及び暗号化された復号鍵データを取得するとともに、当該携帯情報端末装置からストリーミング配信される前記暗号化コンテンツデータを取得するデータ取得手段と、
前記利用者識別情報に基づいて、前記復号鍵データを復号し、当該復号鍵データに基づいて前記ストリーミング配信される前記暗号化コンテンツデータを順次復号する復号手段と、
を備えたコンテンツ再生装置。
【請求項２】
前記携帯情報端末装置は、携帯電話端末装置である、
請求項１記載のコンテンツ再生装置。
【請求項３】
前記携帯電話端末装置は、ＳＩＭＩＤを記憶するＳＩＭカードを備えており、
前記ユーザ識別情報として、前記ＳＩＭＩＤを用いる、
請求項２記載のコンテンツ再生装置。
【請求項４】
前記ユーザ識別情報として用いられる前記ＳＩＭＩＤは、携帯電話番号である、
請求項３記載のコンテンツ再生装置。
【請求項５】
携帯情報端末装置の利用者識別情報に対応づけて暗号化された暗号化コンテンツデータを、前記携帯情報端末装置から取得し再生するコンテンツ再生装置をコンピュータにより制御するための制御プログラムであって、
前記コンピュータを、
前記携帯情報端末装置から前記利用者識別情報及び暗号化された復号鍵データを取得するとともに、当該携帯情報端末装置からストリーミング配信される前記暗号化コンテンツデータを取得するデータ取得手段と、
前記利用者識別情報に基づいて、前記復号鍵データを復号し、当該復号鍵データに基づいて前記ストリーミング配信される前記暗号化コンテンツデータを順次復号する復号手段と、
して機能させる制御プログラム。
【手続補正２】
【補正対象書類名】明細書
【補正対象項目名】０００５
【補正方法】変更
【補正の内容】
【０００５】
本発明は、上記に鑑みてなされたものであって、実施形態のコンテンツ再生装置は、携帯情報端末装置の利用者識別情報に対応づけて暗号化された暗号化コンテンツデータを、携帯情報端末装置から取得し再生するコンテンツ再生装置である。
ここで、データ取得手段は、携帯情報端末装置から前記利用者識別情報及び暗号化された復号鍵データを取得するとともに、当該携帯情報端末装置からストリーミング配信される前記暗号化コンテンツデータを取得する。
そして、復号手段は、利用者識別情報に基づいて、復号鍵データを復号し、当該復号鍵データに基づいてストリーミング配信される暗号化コンテンツデータを順次復号する。
【手続補正３】
【補正対象書類名】明細書
【補正対象項目名】００８０
【補正方法】変更
【補正の内容】
【００８０】
［実施形態の変形例］
実施形態の他の第１の態様としては、利用者識別情報に対応づけて暗号化された暗号化コンテンツデータを再生するコンテンツ再生装置であって、前記利用者識別情報、前記暗号化コンテンツデータ及び暗号化された復号鍵データを取得するデータ取得手段と、前記利用者識別情報に基づいて、前記復号鍵データを復号し、当該復号鍵データに基づいて前記暗号化コンテンツデータを復号する復号手段と、を備えるとともに、バックアップした前記暗号化コンテンツデータを記憶する記憶手段を備え、前記データ取得手段は、再生に先立って、前記利用者識別情報及び暗号化された復号鍵データを取得し、前記復号手段は、前記記憶手段から読み出した前記暗号化コンテンツデータを前記利用者識別情報及び暗号化された復号鍵データに基づいて復号する、コンテンツ再生装置である。  
また、実施形態の他の第２の態様としては、利用者識別情報に対応づけて暗号化された暗号化コンテンツデータを再生するコンテンツ再生装置であって、前記利用者識別情報、前記暗号化コンテンツデータ及び暗号化された復号鍵データを取得するデータ取得手段と、前記利用者識別情報に基づいて、前記復号鍵データを復号し、当該復号鍵データに基づいて前記暗号化コンテンツデータを復号する復号手段と、を備えるとともに、前記暗号化コンテンツデータが記憶された外部のメモリカードを特定するメモリカードＩＤ及び前記利用者識別情報に対応づけて、前記メモリカードからバックアップした前記暗号化コンテンツデータを記憶する記憶手段を備え、前記データ取得手段は、再生に先立って、前記メモリカードＩＤ及び暗号化された復号鍵データを取得し、前記復号手段は、前記メモリカードＩＤに対応づけられた前記記憶手段から読み出した前記暗号化コンテンツデータを前記利用者識別情報及び暗号化された復号鍵データに基づいて復号する、コンテンツ再生装置である。  
また、実施形態の他の第３の態様としては、利用者識別情報に対応づけて暗号化された暗号化コンテンツデータを再生するコンテンツ再生装置であって、前記利用者識別情報、前記暗号化コンテンツデータ及び暗号化された復号鍵データを取得するデータ取得手段と、前記利用者識別情報に基づいて、前記復号鍵データを復号し、当該復号鍵データに基づいて前記暗号化コンテンツデータを復号する復号手段と、を備えるとともに、前記暗号化コンテンツデータが記憶された外部のメモリカードを特定するメモリカードＩＤに対応づけて、前記メモリカードからバックアップした前記暗号化コンテンツデータを記憶する記憶手段を備え、前記データ取得手段は、前記メモリカードＩＤに対応づけられた前記暗号化コンテンツデータが前記記憶手段に記憶されている場合に、再生に先立って、前記利用者識別情報及び暗号化された復号鍵データを取得し、前記復号手段は、前記利用者識別情報に基づいて暗号化された復号鍵データを復号し、復号した復号鍵データにより、前記暗号化コンテンツデータを復号する、コンテンツ再生装置である。
また、実施形態の他の第４の態様としては、利用者識別情報に対応づけて暗号化された暗号化コンテンツデータを再生するコンテンツ再生装置であって、前記利用者識別情報、前記暗号化コンテンツデータ及び暗号化された復号鍵データを取得するデータ取得手段と、前記利用者識別情報に基づいて、前記復号鍵データを復号し、当該復号鍵データに基づいて前記暗号化コンテンツデータを復号する復号手段と、を備えるとともに、前記暗号化コンテンツデータが記憶された外部のメモリカードを特定するメモリカードＩＤと、前記利用者識別情報と、を対応づけて記憶する記憶手段と、前記メモリカードが挿入されて、当該メモリカードを特定するメモリカードＩＤ及び前記暗号化コンテンツデータを読み出し可能な記憶データ読出手段と、を備え、前記データ取得手段は、再生に先立って、暗号化された復号鍵データを取得し、前記復号手段は、前記メモリカードＩＤに対応する利用者識別情報を前記記憶手段から読み出し、読み出した前記利用者識別情報に基づいて暗号化された復号鍵データを復号し、復号した復号鍵データにより、前記暗号化コンテンツデータを復号する、コンテンツ再生装置である。  
また、実施形態の他の第５の態様としては、利用者識別情報に対応づけて暗号化された暗号化コンテンツデータを再生するコンテンツ再生装置であって、前記利用者識別情報、前記暗号化コンテンツデータ及び暗号化された復号鍵データを取得するデータ取得手段と、前記利用者識別情報に基づいて、前記復号鍵データを復号し、当該復号鍵データに基づいて前記暗号化コンテンツデータを復号する復号手段と、を備えるとともに、バックアップした前記暗号化コンテンツデータを記憶する記憶手段を備え、前記復号手段は、前記データ取得手段から取得された利用者識別情報が、前記記憶手段に記憶されている前記暗号化コンテンツデータに対応づけられている利用者識別情報と所定の関係を有する場合に、前記暗号化コンテンツデータに対応づけられている利用者識別情報に基づいて暗号化された復号鍵データを復号し、復号した復号鍵により前記暗号化コンテンツデータを復号する、コンテンツ再生装置である。
以上の説明においては、携帯型情報端末装置として、携帯電話端末装置の場合について説明したが、コンテンツサーバとの間で、暗号化コンテンツデータをダウンロード可能なＳＩＭ（あるいはＵＩＭ）等を内蔵可能で、セキュアな通信機能を有する情報処理装置であれば同様に適用が可能である。例えば、いわゆるスマートフォンや、ノートブック型パーソナルコンピュータ等でも同様に適用が可能である。